(57)【特許請求の範囲】
【請求項１】
中空ハンドル(１)と、該中空ハンドル(１)の先端に首振り可能に枢支され相手締付け部材に係合可能な係合部(21)を有するヘッド部(２)と、該ヘッド部(２)に連続してハンドル(１)内に侵入したレバー部(24)と、圧縮バネ(４)に押圧され該レバー部(24)とトグルリング(31)にて枢支連結された押圧軸(３)と、該圧縮バネ(４)のバネ圧を調整する押しネジ(52)に連繋された支持軸(71)と、ハンドル(１)内に設けられ圧縮バネ(４)の圧縮量に対応する目盛りを表示するダイヤル式目盛り表示器(６)を具え支持軸(71)の回転によって設定トルクが変更可能なトルクレンチにおいて、ダイヤル式目盛り表示器(６)は、ハンドル(１)に内蔵したフレーム(７)上の２つの平行支持軸(70)(71)の内、一方の支持軸(71)に、各桁の数値を表示するべく外周に数字を施した複数のダイヤル(61)(62)(63)を有し、１桁目を表示するダイヤル(61)は該軸(71)と一体回転可能に固定され、他のダイヤル(62)(63)は該軸(71)に対して夫々独立して回転可能且つ軸方向にスライド可能に配備され、他方の支持軸(70)には、下位桁を表示するダイヤルの所定回転角度を、上位桁を表示するダイヤルの１ピッチ回転に伝達する歯車(66)(67)が、隣り合うダイヤル間に対応し両ダイヤルに係合して回転可能に配備され、２桁目以上を表示するダイヤル(62)(63)は最上位桁のダイヤル(63)とフレーム(７)との間にて支持軸(71)に嵌めたスプリング(８)によって下位桁を表示するダイヤル側に付勢されており、該支持軸(71)にトルク設定変更用の回転入力手段が連繋可能であり、トルクレンチ組立時の圧縮バネ圧に対応するべきトルク数値表示の２桁目より上位桁の表示を、スプリング(８)に抗してダイヤル(62)(63)をスライドさせ、隣合うダイヤルとの連繋を遮断して単独で回転させてトルクレンチ組立時の圧縮バネ圧に対応する所望の数値を設定表示できるトルクレンチ。
【発明の詳細な説明】
【０００１】
【発明の属する分野】
本発明は、複数のダイヤルを回してトルクをデジタル表示できるダイヤル式目盛表示器を内蔵したトルクレンチに関するものである。
【０００２】
【従来の技術】
出願人は以前、図２、図６に示す如く、トルク設定の数値をデジタル表示するトルクレンチを提案した(実用新案登録第３０６０９０９号)。
上記トルクレンチは、中空ハンドル(１)の先端に、相手締付け部材に係合可能な係合部(21)を有するヘッド部(２)を首振可能に枢支し、該ヘッド部(２)に連続してハンドル(１)内に侵入したレバー部(24)と、圧縮バネ(４)に押圧されてヘッド部(２)側に付勢された押圧軸(３)とをトグルリンク(31)にて枢支連結している。ハンドル(１)の基端側にダイヤル式目盛表示器(６)を内蔵している。
【０００３】
ダイヤル式目盛表示器(６)は、フレーム(７)上の平行支持軸(70)(71)の内、一方の支持軸(71)上に、複数桁の数値を表示するべく外周に数字を施した複数のダイヤル(61)(62)が配備され、他方の支持軸(70)に、下位桁を表示するダイヤルの所定回転角度を、上位桁を表示するダイヤルの１ピッチ回転に伝達する歯車(66)が、両ダイヤル間に対応し両ダイヤルに係合して回転可能に配備されている。
【０００４】
支持軸(71)の外端には六角穴(73)が開設され、内端は六角軸(74)が突設されている。
支持軸(71)の六角軸(74)が前記圧縮バネ(４)を押圧する押しネジ(52)の頭部に嵌まっている。
支持軸(71)の六角穴(73)に六角レンチを係合して支持軸(71)を回し、圧縮バネ(４)の圧縮量を調節して締付けトルクを設定する。
【０００５】
【発明が解決しようとする課題】
ダイヤル式目盛表示器(６)をハンドル(１)内に組み込む前に、数値表示がバラバラであるダイヤル(61)(62)の数値を合わせておく必要があるが、従来では、圧縮バネ(４)の圧縮量を調整するのと同様に、支持軸(71)の六角穴(73)に六角レンチ(図示せず)を係合して支持軸(71)を回して、ダイヤル(61)(62)が表示する数値を所定の数値に合わせておかねばならず、この作業は手間が掛かって面倒であり、生産性を低下させる一因であった。
【０００６】
本発明は、ダイヤルを軸方向に移動可能とすることにより、ダイヤルの数値表示の設定が速やかにできるダイヤル式目盛表示器を内蔵したトルクレンチを明らかにするものである。
【０００７】
【課題を解決する手段】
本発明は、中空ハンドル(１)と、該中空ハンドル(１)の先端に首振り可能に枢支され相手締付け部材に係合可能な係合部(21)を有するヘッド部(２)と、該ヘッド部(２)に連続してハンドル(１)内に侵入したレバー部(24)と、圧縮バネ(４)に押圧され該レバー部(24)とトグルリング(31)にて枢支連結された押圧軸(３)と、該圧縮バネ(４)のバネ圧を調整する押しネジ(52)に連繋された支持軸(71)と、ハンドル(１)内に設けられ圧縮バネ(４)の圧縮量に対応する目盛りを表示するダイヤル式目盛り表示器(６)を具え支持軸(71)の回転によって設定トルクが変更可能なトルクレンチにおいて、ダイヤル式目盛り表示器(６)は、ハンドル(１)に内蔵したフレーム(７)上の２つの平行支持軸(70)(71)の内、一方の支持軸(71)に、各桁の数値を表示するべく外周に数字を施した複数のダイヤル(61)(62)(63)を有し、１桁目を表示するダイヤル(61)は該軸(71)と一体回転可能に固定され、他のダイヤル(62)(63)は該軸(71)に対して夫々独立して回転可能且つ軸方向にスライド可能に配備されている。
【０００８】
又、他方の支持軸(70)には、下位桁を表示するダイヤルの所定回転角度を、上位桁を表示するダイヤルの１ピッチ回転に伝達する歯車(66)(67)が、隣り合うダイヤル間に対応し両ダイヤルに係合して回転可能に配備され、２桁目以上を表示するダイヤル(62)(63)は最上位桁のダイヤル(63)とフレーム(７)との間にて支持軸(71)に嵌めたスプリング(８)によって下位桁を表示するダイヤル側に付勢されており、該支持軸(71)にトルク設定変更用の回転入力手段が連繋可能であり、トルクレンチ組立時の圧縮バネ圧に対応するべきトルク数値表示の２桁目より上位桁の表示を、スプリング(８)に抗してダイヤル(62)(63)をスライドさせ、隣合うダイヤルとの連繋を遮断して単独で回転させてトルクレンチ組立時の圧縮バネ圧に対応する所望の数値を設定表示できる。
【０００９】
【作用及び効果】
２桁目以上の上位桁の数値を表示するダイヤル(62)(63)は、コイルスプリング(８)に抗して支持軸(71)に軸方向にスライドさせて、歯車(66)(67)を介した隣り合うダイヤルとの係合を解除することにより、夫々単独で回すことができるため、ダイヤル(62)(63)によって表示される数値を所定の数値に合わせる作業を速やかにできる。
従って、トルクレンチへのダイヤル式目盛表示器(６)の組み込み作業を能率的に行うことができる。
【００１０】
【発明の実施の形態】
本発明のトルクレンチの基本構造は、以下に示す如く、従来のトルクレンチと同様であって、図１に示す如く、中空の真直ハンドル(１)の先端に、枢軸(22)によってヘッド部(２)を首振り可能に枢支している。
【００１１】
ヘッド部(２)は六角穴ボルト等の相手締付け部材(図示せず)に係合する六角軸等の係合部(21)及び、該係合部(21)をヘッド部(21)と一体回転する回転方向を切替えるための切替レバー(23)を有している。
上記ヘッド部(２)に連続してレバー部(24)が突設され、該レバー部(24)はハンドル(１)内に余裕のある状態に侵入している。
【００１２】
ハンドル(１)の基端側にグリップ(11)が設けられている。
ハンドル(１)内の基端側寄りに、ヘッド部(２)側へ向けて順に、ダイヤル式目盛表示器(６)、押しネジ(52)、圧縮バネ(４)、押圧軸(３)が配備され、押圧軸(３)と前記レバー部(24)の先端がトグルリンク(31)にて連繋されている。
【００１３】
実施例のダイヤル式目盛表示器(６)は３桁表示であって、Ｕ字状フレーム(７)上に平行支持軸(70)(71)を設け、一方の支持軸(71)はフレーム(７)に対して回転可能となし、該支持軸(71)に上に、３桁の数値を表示するべく外周に０〜９の１０個の数字を順に施した３個のダイヤル(61)(62)(63)を設けている。
１桁目を表示するダイヤル(61)は、支持軸(71)に固定され支持軸(71)と一体に回転する。
他の２つのダイヤル(62)(63)は支持軸(71)に回転自由且つ軸方向にスライド可能に支持されている。即ち、３つのダイヤル(61)(62)(63)は、夫々独立して回転可能である。
【００１４】
支持軸(71)の外端には六角レンチが係合する六角穴(73)が形成されており、支持軸(71)の内端には、前記押しネジ(52)の六角穴(53)に係合する六角軸(74)が突設されている。
【００１５】
他方の支持軸(70)に、隣り合うダイヤル(61)(62)、(62)(63)間に対応し、両ダイヤルに係合する歯車(66)(67)が回転可能且つ軸方向にスライド可能に配備されている。
公知の如く、ダイヤル(61)(62)(63)には歯車(66)と噛合する歯が形成され、歯車(66)(67)は下位桁のダイヤルの所定回転角度毎に上位桁のダイヤルを１ピッチ回転させる様に回転伝達する。
実施例では、歯車(66)(67)は、下位桁のダイヤルが１回転する毎に、上位桁のダイヤルが１ピッチ、即ち３６°回転する様に回転伝達する。
【００１６】
該最上位桁を表示するダイヤル(63)とフレーム(７)の間に圧縮コイルスプリング(８)が介装され、２桁目以上の上位桁を表示するダイヤル(62)(63)は下位桁のダイヤル側に付勢されている。
【００１７】
グリップ(11)には支持軸(71)の六角穴(73)を隠すキャップ(12)が螺合されている。
キャップ(12)の外面には、特殊回転工具が係合する２つの穴(13)(13)が開設されている。
【００１８】
中空ハンドル(１)には、３つのダイヤル(61)(62)(63)の横並びの３桁の数字が見える表示窓(10)が設けられている。
【００１９】
然して、ダイヤル式目盛表示器(６)を中空ハンドル(１)内に組み込む作業に先だって、ダイヤル式目盛表示器(６)のダイヤル(61)(62)(63)を所定の数値に合わせる作業を行う際、ダイヤル式目盛表示器(６)の２桁目以上の上位桁を表示するダイヤル(62)(63)を、コイルスプリング(８)に抗して支持軸(71)上を軸方向にスライドさせ、歯車(66)(67)との係合を解除する。これによりダイヤル(62)、(63)を隣合うダイヤルとは無関係に夫々単独で回すことができるため、ダイヤル(62)(63)によって表示される数値を所定の数値に合わせる作業を速やかにできる。
従って、トルクレンチへのダイヤル式目盛表示器(６)の組み込み作業を能率的に行うことができる。
【００２０】
締付トルクの設定を変える場合、特殊回転工具でキャップ(12)を外し、六角レンチ(９)によってダイヤル式目盛表示器(６)の支持軸(71)を回す。
支持軸(71)を時計方向に回すと押しネジ(52)を右回転させ、ネジ推力により圧縮バネ(４)を圧縮し、押圧軸(３)に対する付勢力を大きくする。表示窓(10)から見える数字も、支持軸(71)の回転に応じて大きくなる。
押圧軸(３)に対する付勢力が増すと、大きな回転トルクをヘッド部(２)に伝達できる。
【００２１】
上記とは逆に支持軸(71)を反時計方向に回すと、圧縮バネ(４)の圧縮量が軽減され、大きな回転トルクをヘッド部(２)伝達することはできない。
【００２２】
トルク設定後、キャップ(12)を施すことにより、簡単に支持軸(71)を回すことはできず、又、トルクレンチ使用中に不用意に支持軸(71)が回ってしまい、設定締付トルクが変化することもない。
【００２３】
上記実施例では、ダイヤル式目盛表示器(６)の歯車(66)(67)も支持軸(71)に対してスライド可能としたが、ダイヤル(62)(63)の軸方向移動の際に歯車(67)が邪魔にならない様に設計すれば、歯車(66)(67)を軸方向に移動可能とする必要はない。
【００２４】
尚、ダイヤル式目盛表示器(６)の支持軸(71)の外端の六角穴(73)、内端の六角軸(74)は、夫々係合相手が六角レンチと六角穴であるからそれに対応させたものであり、係合相手の形状に応じた入力係合部、出力係合部とすることができる。
【００２５】
又、実施例では、下位桁のダイヤルの１回転に対し、隣り合う上位桁のダイヤルが３６°回転する様に構成したが、１桁目表示のダイヤルに０、２、４、６、８、０、２、４、６、８と１０個の数字を順に施し、２桁目、３桁目表示のダイヤルに夫々１〜の１０個の数字を施し、１桁目表示のダイヤルが１８０゜回転する毎に２桁目表示のダイヤルが１ピッチ、即ち、３６゜回転し、２桁目表示のダイヤルが１回転する毎に３桁目表示のダイヤルが３６゜回転する様に構成する等、１桁目表示のダイヤルの回転角度に対する２桁目、３桁目表示のダイヤルの回転角度は、規則性があれば任意とすることができる。又、各ダイヤルに表示する数字も、その規則性に対応していれば、これも任意とすることができる。
【００２６】
本発明は上記実施例の構成に限定されることはなく、特許請求の範囲に記載の範囲で種々の変形が可能である。
【図面の簡単な説明】
【図１】トルクレンチの平面図である。
【図２】ヘッド部の断面図である。
【図３】トルクレンチの要部断面図である。
【図４】ダイヤル式目盛表示器の正面図である。
【図５】ダイヤルと歯車の関係を示す斜面図である。
【図６】出願人が以前提案したトルクレンチの要部断面図である。
【符号の説明】
(１)  ハンドル
(２)  ヘッド部
(３)  押圧軸
(４)  圧縮バネ
(52)  押しネジ
(６)  ダイヤル式目盛表示器
(61)  ダイヤル
(66)  歯車
(７)  フレーム
(８)  スプリング
【図１】
0003544501.tif 000002
【図２】
0003544501.tif 000003
【図３】
0003544501.tif 000004
【図４】
0003544501.tif 000005
【図５】
0003544501.tif 000006
【図６】
0003544501.tif 000007